Podtech/llm-jp-corpus-v4-ja_patent huggingface dataset:
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
動物追跡のシステムであって、
動物の観察を表すビデオデータを維持するデータ記憶装置と、
前記データ記憶装置からビデオデータを受信すること、およびニューラルネットワーク・アーキテクチャを実装することを行うように構成されたプロセッサとを備え、前記ニューラルネットワーク・アーキテクチャが、
前記ビデオデータから抽出された入力ビデオフレームを受信すること、
前記ビデオフレームに基づいて、少なくとも１匹の動物の楕円記述を生成すること、前記楕円記述はあらかじめ決められた楕円パラメータにより規定される、および
前記少なくとも１匹の動物について、前記あらかじめ決められた楕円パラメータを特徴付ける値を含むデータを提供すること、
を行うように構成された、システム。
【請求項２】
前記楕円パラメータが、平面内の前記動物の位置、前記動物の長軸の長さおよび短軸の長さ、ならびに前記動物の頭部が向いている角度であって、前記長軸の方向に対して規定される角度、を表す座標である、請求項１に記載のシステム。
【請求項３】
前記ニューラルネットワーク・アーキテクチャが、
入力ビデオフレームから、前景−背景セグメント化画像を予測すること、
画素の観点で、前記セグメント化画像に基づいて、動物が前記入力ビデオフレーム中に存在するかを予測すること、
前記画素の観点での予測に基づいて、セグメンテーションマスクを出力すること、および
前記動物が存在すると予測された前記セグメンテーションマスクの部分を楕円に適合させて、前記あらかじめ決められた楕円パラメータを特徴付ける値を決定すること、
を行うように構成されたエンコーダ−デコーダ・セグメンテーション・ネットワークである、請求項１に記載のシステム。
【請求項４】
前記エンコーダ−デコーダ・セグメンテーション・ネットワークが、
前記入力ビデオフレームを一組の小さな空間解像度の特徴へと抽象化するように構成された特徴エンコーダと、
前記一組の特徴を前記入力ビデオフレームと同じ形状へと変換し、前記前景−背景セグメント化画像を出力するように構成された特徴デコーダと、
前記動物の頭部が向いている角度を予測するように構成された角度予測器と、
を備えた、請求項３に記載のシステム。
【請求項５】
前記ニューラルネットワーク・アーキテクチャが、前記楕円記述の各楕円パラメータの最確値のヒートマップを予測するように構成されたビニング分類ネットワークを備えた、請求項１に記載のシステム。
【請求項６】
前記ビニング分類ネットワークが、前記入力ビデオフレームを小さな空間解像度へと抽象化するように構成された特徴エンコーダを備え、前記抽象化が、前記ヒートマップを生成させるために利用される、請求項５に記載のシステム。
【請求項７】
前記ニューラルネットワーク・アーキテクチャが、入力ビデオフレームから特徴を抽出し、前記楕円パラメータそれぞれを特徴付ける値を直接予測するように構成された回帰ネットワークを備えた、請求項１に記載のシステム。
【請求項８】
前記動物が、齧歯動物である、請求項１に記載のシステム。
【請求項９】
動物の観察を表すビデオデータを受信すること、および
ニューラルネットワーク・アーキテクチャを実行すること
をコンピュータになさせるためのプログラムであって、
前記ニューラルネットワーク・アーキテクチャは、
前記ビデオデータから抽出された入力ビデオフレームを受信すること、および
前記入力ビデオフレームに基づいて、少なくとも１匹の動物の楕円記述を生成すること、前記楕円記述はあらかじめ決められた楕円パラメータにより規定される、および前記少なくとも１匹の動物について、前記あらかじめ決められた楕円パラメータを特徴付ける値を含むデータを提供すること、
を行うように構成されている、プログラム。
【請求項１０】
前記楕円パラメータが、平面内の前記動物の位置、前記動物の長軸の長さおよび短軸の長さ、ならびに前記動物の頭部が向いている角度であって、前記長軸の方向に対して規定される角度、を表す座標である、請求項９に記載のプログラム。
【請求項１１】
前記ニューラルネットワーク・アーキテクチャが、
入力ビデオフレームから、前景−背景セグメント化画像を予測すること、
画素の観点で、前記セグメント化画像に基づいて、動物が前記入力ビデオフレーム中に存在するかを予測すること、
前記画素の観点での予測に基づいて、セグメンテーションマスクを出力すること、および
前記動物が存在すると予測された前記セグメンテーションマスクの部分を楕円に適合させて、前記あらかじめ決められた楕円パラメータを特徴付ける値を決定すること、
を行うように構成されたエンコーダ−デコーダ・セグメンテーション・ネットワークである、請求項９に記載のプログラム。
【請求項１２】
前記エンコーダ−デコーダ・セグメンテーション・ネットワークが、
前記入力ビデオフレームを一組の小さな空間解像度の特徴へと抽象化するように構成された特徴エンコーダと、
前記一組の特徴を前記入力ビデオフレームと同じ形状へと変換し、前記前景−背景セグメント化画像を出力するように構成された特徴デコーダと、
前記動物の頭部が向いている角度を予測するように構成された角度予測器と、
を備えた、請求項１１に記載のプログラム。
【請求項１３】
前記ニューラルネットワーク・アーキテクチャが、前記楕円記述の各楕円パラメータの最確値のヒートマップを予測するように構成されたビニング分類ネットワークを備えた、請求項９に記載のプログラム。
【請求項１４】
前記ビニング分類ネットワークが、前記入力ビデオフレームを小さな空間解像度へと抽象化するように構成された特徴エンコーダを備え、前記抽象化が、前記ヒートマップを生成させるために利用される、請求項１３に記載のプログラム。
【請求項１５】
前記ニューラルネットワーク・アーキテクチャが、入力ビデオフレームから特徴を抽出し、前記楕円パラメータそれぞれを特徴付ける値を直接予測するように構成された回帰ネットワークを備えた、請求項９に記載のプログラム。
【請求項１６】
前記動物が、齧歯動物である、請求項９に記載のプログラム。
【誤訳訂正書】
【提出日】令和2年10月23日(2020.10.23)
【誤訳訂正１】
【訂正対象書類名】明細書
【訂正対象項目名】００３４
【訂正方法】変更
【訂正の内容】
【００３４】
上記に記載した変調１２ビットＳＡＲ変換器は依然として、印加される信号を変換するのに１６クロックサイクルしか必要としない。これは、１２ビットＳＡＲ変換が完了した後、最終的な変換器デジタル値をラッチし、１回のクロックサイクルを利用する変換からの残存する残差を同時に捕捉することによって達成される。それ故１２ビットＳＡＲ変換が完了した後の第２のクロックサイクルは必要とされず、サンプリングされた入力信号に対して保持される残差を加えるために、入力信号のサンプリングと、ＳＡＲ変換の開始の間のクロックサイクル用に使用するように再分配される。
【誤訳訂正書】
【提出日】令和3年1月7日(2021.1.7)
【誤訳訂正１】
【訂正対象書類名】特許請求の範囲
【訂正対象項目名】全文
【訂正方法】変更
【訂正の内容】
【特許請求の範囲】
【請求項１】
（Ａ）８０〜９９質量％の範囲の、メチルグリシン二酢酸（ＭＧＤＡ）、及びそのアルカリ金属塩から選択された少なくとも１種のキレート剤、並びに、
（Ｂ）１〜２０質量％の範囲の、アルカリにより部分的に又は完全に中和された、少なくとも１種の（メタ）アクリル酸の単独重合体又は共重合体、
を含み、単独重合体又は共重合体（Ｂ）が、１２００〜３００００ｇ／ｍｏｌの範囲の、それぞれの遊離酸を標準としたゲル浸透クロマトグラフィーにより測定された平均分子量ＭＷを有する、ｉ）粉末又はｉｉ）顆粒の製造方法（ここで、パーセンテージが、前記粉末又は前記顆粒の固形分に対するものである）であって、
前記方法が、
（ａ）水の存在下で前記少なくとも１種のキレート剤（Ａ）及び前記少なくとも１種の単独重合体又は共重合体（Ｂ）を混合し、溶液を形成する工程と、
（ｂ）少なくとも１２５℃の注入温度を有するガスを用いる噴霧乾燥又は噴霧造粒により前記水の大部分を除去する工程と、
を含むことを特徴とする方法。
【請求項２】
キレート剤（Ａ）が、ＭＧＤＡの三ナトリウム塩である請求項１に記載の方法。
【請求項３】
前記単独重合体又は共重合体（Ｂ）がポリアクリル酸の過ナトリウム塩から選択される請求項１又は２に記載の方法。
【請求項４】
前記単独重合体又は共重合体（Ｂ）が、（メタ）アクリル酸と、１分子当たり少なくとも１つのスルホン酸基を持つコモノマーとの共重合体から選択される請求項１から３のいずれか一項に記載の方法。
【請求項５】
粉末又は顆粒であって、
（Ａ）８０〜９９質量％の範囲の、メチルグリシン二酢酸（ＭＧＤＡ）及びそのアルカリ金属塩から選択された少なくとも１種のキレート剤、並びに、
（Ｂ）１〜２０質量％の範囲の、アルカリにより部分的に又は完全に中和された、少なくとも１種の（メタ）アクリル酸の単独重合体又は共重合体、該単独重合体又は共重合体が、１２００〜３００００ｇ／ｍｏｌの範囲の、それぞれの遊離酸を標準としたゲル浸透クロマトグラフィーにより測定された平均分子量ＭＷを有し、
（パーセンテージが前記粉末又は顆粒の固形分に対するものである）
を分子的分散形態で含むことを特徴とする粉末又は顆粒。
【請求項６】
１〜２０質量％の範囲の残留水分含有量を有する請求項５に記載の粉末又は顆粒。
【請求項７】
１μｍから０．１ｍｍ未満の範囲の平均粒子直径を有する粉末から、及び、０．１ｍｍ〜２ｍｍの範囲の平均粒子直径を有する顆粒からの平均直径を有する請求項５又は６に記載の粉末又は顆粒。
【請求項８】
キレート剤（Ａ）が、ＭＧＤＡの三ナトリウム塩である請求項５から７のいずれか一項に記載の粉末又は顆粒。
【請求項９】
前記単独重合体又は共重合体（Ｂ）がポリアクリル酸の過ナトリウム塩から選択される請求項５から８のいずれか一項に記載の粉末又は顆粒。
【請求項１０】
前記単独重合体又は共重合体（Ｂ）が、（メタ）アクリル酸と、１分子当たり少なくとも１つのスルホン酸基を持つコモノマーとの共重合体から選択される請求項５から９のいずれか一項に記載の粉末又は顆粒。
【請求項１１】
請求項５から１０のいずれか一項に記載の粉末又は顆粒を繊維又は硬質表面用の洗浄剤の製造に使用する方法であって、前記洗浄剤が少なくとも１種のペルオキシ化合物を含むことを特徴とする使用方法。
【請求項１２】
少なくとも１種のペルオキシ化合物が、過炭酸塩、過硫酸塩及び過ホウ酸塩から選択される請求項１１に記載の使用方法。
【請求項１３】
少なくとも１種のペルオキシ化合物、及び、少なくとも１種の、請求項５から１０のいずれか一項に記載の粉末又は顆粒を含む洗浄剤。
【誤訳訂正２】
【訂正対象書類名】明細書
【訂正対象項目名】００７１
【訂正方法】変更
【訂正の内容】
【００７１】
この明細書において、「分子的分散の形態で」という用語は、本発明の粉末及び本発明の顆粒の粒子の全部または大部分、例えば少なくとも８０％は、キレート剤（Ａ）及び重合体（Ｂ）を含むという構成をもたらす。
【誤訳訂正３】
【訂正対象書類名】明細書
【訂正対象項目名】００７５
【訂正方法】変更
【訂正の内容】
【００７５】
本発明の一実施態様において、「分子的分散の形態で」という用語は、基本的には本発明の粉末及び本発明の顆粒の全ての粒子が８０〜９９質量％のキレート剤（Ａ）及び１〜２０質量％の単独重合体又は共重合体（Ｂ）を含むという構成をも、もたらし、ここで、前記パーセンテージがそれぞれに粉末又は顆粒の固形分に対するものである。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
エアフィルタ要素（１００）であって、
フィルタ媒体を含むフィルタ媒体パック（１１０）であって、前記フィルタ媒体パック（１１０）は吸気側（１１１）及び排気側（１１２）を有する、フィルタ媒体パック（１１０）と、
前記吸気側（１１１）上に配置された第１の結合要素（１３１）及び前記排気側（１１２）上に配置された第２の結合要素（１３２）を含み、
エアフィルタシステム筐体（２００）の封止表面と協働するように構成された封止手段（１４２）は、前記第１の結合要素（１３１）及び前記第２の結合要素（１３２）の少なくとも１つの上に提供され、
前記エアフィルタ要素（１００）は、短縮位置と伸長位置との間で前記第１の結合要素（１３１）と前記第２の結合要素（１３２）の相対運動が可能になるように構成される、エアフィルタ要素（１００）。
【請求項２】
前記フィルタ媒体パック（１１０）の前記排気側（１１２）と前記第２の結合要素（１３２）との間に配置された可逆的に変形可能な襟（１２２）をさらに含み、前記可逆的に変形可能な襟は、前記排気側（１１２）に第１の直径及び前記第２の結合要素（１３２）に第２の直径を有し、前記第２の直径は前記第１の直径より大きく、より小さい直径を有する前記可逆的に変形可能な襟の第２の部分の上により大きい直径を有する前記可逆的に変形可能な襟の第１の部分を折り畳むことにより、前記第１の結合要素（１３１）と前記第２の結合要素（１３２）の前記相対運動が可能になる、請求項１に記載のエアフィルタ要素（１００）。
【請求項３】
前記フィルタ媒体パック（１１０）の前記排気側（１１２）と前記第２の結合要素（１３２）との間に配置された可逆的に変形可能な襟（１２２）をさらに含み、前記可逆的に変形可能な襟は、前記排気側（１１２）に第１の直径及び前記第２の結合要素（１３２）に第２の直径を有し、前記第２の直径は前記第１の直径より小さく、より大きい直径を有する前記可逆的に変形可能な襟の第２の部分の下により小さい直径を有する前記可逆的に変形可能な襟の第１の部分を折り畳むことにより、前記第１の結合要素（１３１）と前記第２の結合要素（１３２）の前記相対運動が可能になる、請求項１に記載のエアフィルタ要素（１００）。
【請求項４】
筐体（２００）及び取り外し可能なエアフィルタ要素（１００）を含む請求項１から３のいずれか一項に記載のエアフィルタシステムであって、
前記筐体（２００）は、前記エアフィルタ要素（１００）の前記排気側（１１２）と前記エアフィルタシステムの洗浄エアチャネルとの間に封止された流体連通を提供するように、前記封止手段と係合するように構成された封止表面を含み、
前記筐体（２００）は、前記エアフィルタ要素（１００）を前記エアフィルタシステム筐体（２００）の中に挿入中に前記エアフィルタ要素（１００）を前記短縮位置から前記伸長位置に移動させるために前記案内手段（１３５）と協働するように構成され、及び／又は前記伸長位置で前記エアフィルタ要素（１００）に掛金を掛けるために前記エアフィルタ要素（１００）の前記掛金手段（１３８）と協働するように構成される、エアフィルタシステム。
【請求項５】
サービス用開口を有するエアフィルタシステムをサービスする方法であって、
まず前記短縮位置において前記サービス用開口を通って、請求項１から３のいずれか一項に記載のエアフィルタ要素（１００）を挿入すること（１０１０）と、
前記挿入中又は前記挿入後に前記エアフィルタ要素（１００）をその伸長位置に延在すること（１０２０）と、
前記エアフィルタ要素（１００）が前記エアフィルタシステムの中に完全に挿入されたときに、前記伸長位置で前記エアフィルタ要素（１００）に掛金を掛けるために前記掛金手段（１３８）を操作すること（１０３０）を含む、方法。
【請求項６】
フィルタ要素（１００）であって、
ａ）フィルタ媒体を含むフィルタ媒体パック（１１０）であって、前記フィルタ媒体パック（１１０）は吸気側（１１１）及び排気側（１１２）を有する、フィルタ媒体パック（１１０）と、
ｂ）前記フィルタ媒体パック（１１０）の少なくとも一部に外接する位置決め可能な結合要素（１３２）上に配置された半径方向封止部材（１４２）を含み、
ｃ）前記フィルタ要素（１００）は、前記位置決め可能な結合要素（１３１）が伸長位置にあるときに第１の軸長を有し、前記位置決め可能な結合要素（１３２）が潰れた位置にあるときに第２の軸長を有し、前記第１の軸長は前記第２の軸長より大きい、フィルタ要素（１００）。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
鼻移植片を受け入れるように構成された装填チャンバを備える内側ハンドルと、
前記内側ハンドルに対して軸方向に移動するように構成された外側ハンドルと、
前記内側ハンドルから遠位側に延在するニードルであって、中心内腔及び遠位開口を有するニードルと、
前記鼻移植片を前記装填チャンバから前記中心内腔を通して前記ニードルの前記遠位開口から外に移動させるように構成されたプッシュロッドであって、前記外側ハンドルが前記内側ハンドルに対して遠位側に移動する時に前記内側ハンドルの周囲に沿って遠位側に移動するように、前記外側ハンドルに連結されている、プッシュロッドと、
を備えている鼻移植片送達工具。
【請求項２】
前記外側ハンドルは、前記内側ハンドルに対して複数の異なる係止位置間で移動するように構成されており、
前記係止位置は、遠位側展開位置、準備位置、及び近位側移植片装填位置に対応している、請求項１に記載の送達工具。
【請求項３】
前記プッシュロッドは、前記外側ハンドルが前記遠位側展開位置にある時、前記鼻移植片が前記ニードルの前記遠位開口を超えて部分的に又は完全に前進するように、遠位側に前進するようになっており、
前記ニードルの前記中心内腔は、前記外側ハンドルが前記準備位置にある時、前記鼻移植片を保持するように構成されており、
前記装填チャンバは、前記外側ハンドルが前記近位側移植片装填位置にある時に露出するようになっている、請求項２に記載の送達工具。
【請求項４】
前記外側ハンドル上に第１のボタン及び第２のボタンを更に備えている、請求項２に記載の送達工具。
【請求項５】
前記第１のボタンは、前記第１のボタンが押し下げられた時に前記外側ハンドルが前記準備位置から前記遠位側展開位置に移動することを可能にするように構成されている、請求項４に記載の送達工具。
【請求項６】
前記第１のボタンは、前記ハンドルが前記移植片装填位置にある時に前記第１のボタンが押し下げられるのを防ぐために、前記内側ハンドル上の第２の係止特徴部と係合するように構成された第１の係止特徴部を備えている、請求項５に記載の送達工具。
【請求項７】
前記第２のボタンは、前記第２のボタンが押し下げられた時に前記外側ハンドルが前記準備位置から前記近位側移植片装填位置に移動することを可能にするように構成されている、請求項４に記載の送達工具。
【請求項８】
前記第１のボタン又は第２のボタンは、前記第１又は第２のボタンが押し下げられていない時に前記内側ハンドルの対応する係合面と係合するように構成された係合面を備えており、
前記第１又は第２のボタンは、前記第１又は第２のボタンが押し下げられた時に、前記係合面が前記内側ハンドルの前記対応する係合面から離脱し、前記内側ハンドルと前記外側ハンドルとの間の相対移動を可能にするために、前記係合面を移動させるように構成されている、請求項４に記載の送達工具。
【請求項９】
前記送達工具内の前記鼻移植片の配向を示すように構成された移植片配向インジケータを更に備えており、
前記移植片配向インジケータは、前記送達工具から第１の方向に突出する第１のアームと、前記送達工具から第２の方向に突出する第２のアームとを備えており、
前記第１のアーム及び前記第２のアームは、展開形態にある前記鼻移植片の第１のアーム及び第２のアームによって形成された面と実質的に同様の面を画定している、請求項１に記載の送達工具。
【請求項１０】
前記外側ハンドルは、前記内側ハンドルの近位端を完全に覆うように構成されている、請求項１に記載の送達工具。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
ステントをフレア状にするための装置において、
近位端と、患者の体内に導入されるサイズの遠位端と、それらの間に延びる１以上の管腔とを含む管状部材と、
前記遠位端に担持されるバルーンであって、
前記遠位端に取り付けられた第１端および第２端と、当該第１端および第２端へとそれぞれ移行する第１および第２のテーパ領域の間に延在する中央領域とを含む第１の膜と、
前記第２のテーパ領域から部分的に前記第１のテーパ領域に向かって前記中央領域を囲んで前記バルーンの補強された領域を画定する第２の膜とを有するバルーンとを備え、
前記第１の膜は弾性材料から形成され、前記第２の膜は前記第１の膜と等しいか低い弾性を有する材料から形成されることを特徴とする装置。
【請求項２】
前記第１および第２の膜が同じ材料から形成されている、請求項１に記載の装置。
【請求項３】
前記第１および第２の膜が同じ厚さを有する、請求項２に記載の装置。
【請求項４】
前記第２の膜が非弾性材料から形成されている、請求項１に記載の装置。
【請求項５】
前記第２の膜が、前記中央領域の外面に取り付けられている、請求項１に記載の装置。
【請求項６】
前記第２の膜は、接着、融着、および音波溶接のうちの少なくとも１つによって前記外面に実質的に連続的に取り付けられている、請求項５に記載の装置。
【請求項７】
前記第２の膜が、ディップ成形およびスプレー成形のうちの１つによって前記中央領域上に形成されている、請求項１に記載の装置。
【請求項８】
前記第１および第２の膜は、弛緩した成形状態において第１の直径を画定し、前記バルーンは、前記バルーンの遠位端に送達状態に巻かれるか折り畳まれる、請求項１に記載の装置。
【請求項９】
前記第１および第２の膜の材料は、前記バルーンを第１の圧力まで膨張させると、前記第１および第２の膜が送達状態から第１の直径までほぼ同時に拡張し、前記第１の圧力を超えてバルーンを膨張させると、前記バルーンの補強された領域は第１の直径のままで、前記第１の膜の中央部分の残りは前記第１の直径よりも大きい直径まで膨張し続けるように構成されている、請求項８に記載の装置。
【請求項１０】
前記補強された領域に隣接する前記第１の膜の一部が、前記第１の直径よりも大きい直径に拡張されると球根状に膨張するように構成された形状に成形されている、請求項９に記載の装置。
【請求項１１】
ステントをフレア状にするための装置において、
近位端と、患者の体内に導入されるサイズの遠位端と、それらの間に延在する１以上の管腔とを含む管状部材と、
前記遠位端に担持されたバルーンであって、
前記遠位端に取り付けられた第１端および第２端と、当該第１端および第２端へとそれぞれ移行する第１および第２のテーパ領域の間に延在する中央領域とを有する第１の膜と、
前記第１および第２のテーパ領域から離れた前記中央領域の一部を囲んで前記バルーンの補強された中央領域を画定する第２の膜とを有するバルーンとを備え、
前記第１の膜は弾性材料から形成され、前記第２の膜は前記第１の膜と等しいか低い弾性を有する材料から形成されることを特徴とする装置。
【請求項１２】
前記第１および第２の膜が同じ材料から形成されている、請求項１１に記載の装置。
【請求項１３】
前記第１および第２の膜が同じ厚さを有する、請求項１２に記載の装置。
【請求項１４】
前記第２の膜は、非弾性材料から形成されている、請求項１１に記載の装置。
【請求項１５】
前記第２の膜が、前記中央領域の一部の外面上に取り付けられている、請求項１１に記載の装置。
【請求項１６】
前記第２の膜が、接着、融着、および音波溶接のうちの少なくとも１つによって前記外面上に実質的に連続的に取り付けられている、請求項１５に記載の装置。
【請求項１７】
前記第２の膜は、ディップ成形およびスプレー成形のうちの１つによって、前記中央領域の一部の上に形成される、請求項１１に記載の装置。
【請求項１８】
前記第１および第２の膜は、弛緩した成形状態において第１の直径を画定し、前記バルーンは、前記バルーンの遠位端に送達状態に巻かれるか折り畳まれる、請求項１１に記載の装置。
【請求項１９】
前記第１および第２の膜の材料は、前記バルーンを第１の圧力まで膨張させると、前記第１および第２の膜が送達状態から第１の直径までほぼ同時に拡張し、前記第１の圧力を超えてバルーンを膨張させると、前記バルーンの補強された領域は第１の直径のままで、前記第１の膜の中央部分の残りは前記第１の直径よりも大きい直径まで膨張し続けるように構成されている、請求項１８に記載の装置。
【請求項２０】
前記補強された領域に隣接する前記第１の膜の一部が、前記第１の直径よりも大きい直径に拡張されると球根状に膨張するように構成された形状に成形されている、請求項１９に記載の装置。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
患者の管腔ネットワークをナビゲートするシステムであって、
電磁場を発生させる発生器と、
操縦可能な器具の遠位端に設けられる１組の１つまたは複数の電磁センサと、
１組の１つまたは複数の呼吸センサと、
実行可能な命令が記憶されている少なくとも１つのコンピュータ読み取り可能メモリと、
前記少なくとも１つのコンピュータ読み取り可能メモリと通信する１つまたは複数のプロセッサであって、前記命令を実行することで前記システムに少なくとも
前記管腔ネットワークを表現する手術前モデルにアクセスすることと、
前記電磁場の座標系と前記手術前モデルの座標系との間のマッピングにアクセスすることと、
前記１組の電磁センサからのデータ信号を基に、前記電磁場内の前記１組の電磁センサの少なくとも１つの位置を計算することと、
前記１組の呼吸センサからのデータ信号を基に、前記患者の呼吸数を計算することと、
前記位置合わせマッピング、前記呼吸数、および前記電磁場内の前記１組の電磁センサの少なくとも１つの位置を基に、前記手術前モデルに対する前記操縦可能な器具の遠位端の位置を判定することと、
を実行させるプロセッサと、
を有することを特徴とするシステム。
【請求項２】
前記１組の電磁センサの各電磁センサは、前記電磁センサと前記発生器との間の距離および角度を示す信号を生成し、前記電気信号は、前記電磁場内の前記電磁センサの位置および向きの１つまたは両方の判定に使用することができることを特徴とする請求項１に記載のシステム。
【請求項３】
前記１つまたは複数のプロセッサは、前記命令を実行することで前記システムに
前記１組の呼吸センサからの１つまたは複数のデータ信号を前記１つまたは複数のデータ信号の周波数領域表現に変換することと、
前記１つまたは複数のデータ信号の前記周波数領域表現から呼吸数を特定すること
を実行させることを特徴とする請求項１に記載のシステム。
【請求項４】
前記１つまたは複数のプロセッサは、前記命令を実行することで前記システムに少なくとも
前記１組の電磁センサからの１つまたは複数のデータ信号に予測フィルタを適用することであって、前記予測フィルタは前記呼吸による呼吸運動を予測する、ことと、
前記予測された呼吸運動に起因する前記１つまたは複数のデータ信号の成分を除去して、前記手術前モデルに対する前記操縦可能な器具の前記遠位端の前記位置を判定することと、
を実行させることを特徴とする請求項３に記載のシステム。
【請求項５】
前記１つまたは複数のプロセッサは、前記命令を実行することで前記システムに少なくとも前記患者の前記呼吸の吸気相と呼気相との間の前記１組の呼吸センサの少なくとも１つの変位の大きさを計算することを実行させることを特徴とする請求項１に記載のシステム。
【請求項６】
前記１つまたは複数のプロセッサは、前記命令を実行することで前記システムに少なくとも
前記１組の呼吸センサに対する前記１組の電磁センサの少なくとも１つの位置を判定することと、
（１）前記１組の呼吸センサに対する前記１組の電磁センサの前記判定された少なくとも１つの位置および（２）吸気相と呼気相との間の前記１組の呼吸センサの前記少なくとも１つの変位の大きさを基に、前記吸気相と前記呼気相との間の前記１組の電磁センサの少なくとも１つの位置の変位を計算することと、
前記吸気相と前記呼気相との間の前記１組の電磁センサの前記計算された少なくとも１つの位置の変位を基に、前記手術前モデルに対する前記操縦可能な器具の前記遠位端の前記位置を判定することと
を実行させることを特徴とする請求項５に記載のシステム。
【請求項７】
前記１組の呼吸センサは、前記体表面の第１の位置に配置されて用いられている第１の追加の電磁センサと、前記体表面の第２の位置に配置されて用いられている第２の追加の電磁センサとを有し、前記吸気相と前記呼気相との間における、前記第１の追加の電磁センサの第１の変位の大きさが、前記第２の追加の電磁センサの第２の変位の大きさよりも大きくなるように、前記第２の位置が前記第１の位置から離れていることを特徴とする請求項６に記載のシステム。
【請求項８】
前記１つまたは複数のプロセッサは、前記命令を実行することで前記システムに少なくとも
前記第１の追加の電磁センサおよび前記第２の追加の電磁センサに対する前記１組の電磁センサの相対位置を判定することと、
前記１組の電磁センサの前記判定された相対位置を基に、前記第１の変位の大きさと前記第２の変位の大きさとの間の補間を行い、前記吸気相と前記呼気相との間の前記１組の電磁センサの位置の変位の前記計算は、前記補間された大きさを基に実行されることと、
を実行させることを特徴とする請求項７に記載のシステム。
【請求項９】
前記１つまたは複数のプロセッサは、前記命令を実行することで前記システムに少なくとも
前記計算された少なくとも１つの変位の大きさを基に、前記手術前モデルの少なくとも１つの位置に対する移動ベクトルを推定することと、
前記推定された移動ベクトルを基に、前記電磁場の前記座標系内の前記手術前モデルを翻訳することと、
前記翻訳された手術前モデルを基に、前記操縦可能な器具の前記遠位端の前記位置を判定することと
を実行させることを特徴とする請求項７に記載のシステム。
【請求項１０】
前記電磁場の前記座標系内の前記手術前モデルを翻訳するために、前記１つまたは複数のプロセッサは、前記命令を実行することで前記システムに少なくとも
前記第１の変位の大きさを基に、前記モデルの第１の部分を第１の新しい座標に移動することと、
前記第２の変位の大きさを基に、前記モデルの第２の部分を第２の新しい座標に移動することと、
を実行させることを特徴とする請求項９に記載のシステム。
【請求項１１】
前記操縦可能な器具の移動を行う器具ドライバを有するロボットシステムをさらに有する請求項１に記載のシステム。
【請求項１２】
前記１つまたは複数のプロセッサは、前記命令を実行することで前記システムに少なくとも
前記手術前モデルに対する前記操縦可能な器具の前記遠位端の前記位置を基に、前記操縦可能な器具の次の移動を特定することと、
前記次の移動を行うよう前記器具ドライバの作動を指示することと
を実行させることを特徴とする請求項１１に記載のシステム。
【請求項１３】
前記システムはさらにディスプレイを有し、前記１つまたは複数のプロセッサは、前記命令を実行することで前記システムに少なくとも
前記手術前モデルに対する前記操縦可能な器具の前記遠位端の前記位置のグラフィック表現を生成することと、
前記ディスプレイに前記生成されたグラフィカル表現を表示することと
を実行させることを特徴とする請求項１１に記載のシステム。
【請求項１４】
前記ロボットシステムは入力装置を有し、前記入力装置は、前記入力装置のユーザ操作を基に、前記操縦可能な器具の移動を制御することを特徴とする請求項１１に記載のシステム。
【請求項１５】
前記手術前モデルは、前記患者の前記管腔ネットワークの３次元コンピュータ断層撮影モデルを有することを特徴とする請求項１に記載のシステム。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
超音波パルスを受けた後の超音波信号を有する粘弾性媒体の粘弾性特性を測定するためのデバイス（ＤＥＶ）であって、
振動制御型トランジェントエラストグラフィ用のプローブ（１）であって、
プローブケーシング（ＰＣ）、
対称軸（Ａ）を有する少なくとも１つの超音波トランスデューサ（ＵＳ）、
少なくともバイブレータ（ＶＩＢ）であって、プローブケーシング（ＰＣ）の内側に位置づけされる、前記バイブレータ（ＶＩＢ）、
力センサ（ＦＳ）であって、測定対象の粘弾性媒体に対してプローブ（１）によって印加された力を測定するように構成される、力センサを備える、プローブ、
信号発生器（９）を備え、
デバイス（ＤＥＶ）が、
バイブレータ（ＶＩＢ）が、事前定義された軸に沿ったプローブケーシング（ＰＣ）の動きを誘導するために配置され、事前定義された軸が、超音波トランスデューサ（ＵＳ）の対称軸（Ａ）であり、
超音波トランスデューサが、プローブケーシング（ＰＣ）に固着され、プローブケーシング（ＰＣ）に対する超音波トランスデューサ（ＵＳ）の運動がなく、
信号発生器（９）が、プローブ（１）の超音波トランスデューサ（ＵＳ）が測定対象の粘弾性媒体と接触したときに、接触準備完了信号を発行するように構築および配置され、接触準備完了信号が、粘弾性媒体に超音波プローブ（１）によって印加された力が最小接触力閾値よりも大きいときに、信号発生器（９）によって設定される
ことを特徴とする、デバイス（ＤＥＶ）。
【請求項２】
信号発生器（９）が、測定準備完了信号を発行するようにも構築および配置されることを特徴とする、請求項１に記載のデバイス（ＤＥＶ）。
【請求項３】
測定準備完了信号が、超音波プローブ（１）によって印加された力が最小測定力閾値よりも大きいときに、信号発生器（９）によって設定される、請求項２に記載のデバイス（ＤＥＶ）。
【請求項４】
最小接触力閾値が、０．１Ｎと１．０Ｎの間に含まれ、
最小測定力閾値が、１．０Ｎと６．０Ｎの間に含まれる、
請求項３に記載のデバイス（ＤＥＶ）。
【請求項５】
測定準備完了信号が、粘弾性媒体に超音波プローブ（１）によって印加された力が最大測定力閾値よりも小さいときに設定され、最大測定力閾値が６．０Ｎと２０．０Ｎの間に含まれる、請求項３または４に記載のデバイス（ＤＥＶ）。
【請求項６】
最小接触力閾値が、０．５Ｎに等しく、
最小測定力閾値が、４Ｎに等しい、
請求項３から５のいずれか一項に記載のデバイス（ＤＥＶ）。
【請求項７】
超音波トランスデューサ（ＵＳ）が、プローブ先端（ＰＴ）によってプローブケーシング（ＰＣ）に固着され、前記プローブ先端（ＰＴ）が、プローブケーシング（ＰＣ）に固定された第１の端部（ＰＴＥ１）と、超音波トランスデューサ（ＵＳ）に固定された第２の端部（ＰＴＥ２）とを有することを特徴とする、請求項１から６のいずれか一項に記載のデバイス（ＤＥＶ）。
【請求項８】
プローブ先端（ＰＴ）が、交換可能であることを特徴とする、請求項７に記載のデバイス（ＤＥＶ）。
【請求項９】
プローブ（１）が、位置センサ（ＰＯＳ）を備え、デバイス（ＤＥＶ）が、位置センサ（ＰＯＳ）から受信した信号に基づいてバイブレータ（ＶＩＢ）を制御するように構成された制御ループを備えることを特徴とする、請求項１から８のいずれか一項に記載のデバイス（ＤＥＶ）。
【請求項１０】
力センサ（ＦＳ）が、容量性センサまたは印加力センサであることを特徴とする、請求項１から９のいずれか一項に記載のデバイス（ＤＥＶ）。
【請求項１１】
デバイスが、測定準備完了信号が設定されている場合に限り、粘弾性媒体の粘弾性特性の測定をトリガする手段を備えることを特徴とする、請求項２および請求項１から１０のいずれか一項に記載のデバイス。
【請求項１２】
超音波インパルスを受けた後の超音波信号を有する粘弾性媒体の粘弾性特性を測定するための方法（ＭＥＴ）であって、以下の、
測定対象の粘弾性媒体に接触する超音波プローブ（１）の超音波トランスデューサ（ＵＳ）を位置決めするステップ（１００）であって、前記プローブが請求項１から１１のいずれか一項に記載のデバイス（ＤＥＶ）に備えられている、ステップ（１００）と、
超音波プローブ（１）のトランスデューサ（ＵＳ）が測定対象の粘弾性媒体と接触しているときに接触準備完了信号を生成するステップ（１０４）であって、接触準備完了信号が信号発生器（９）によって発行される、ステップ（１０４）とを含む方法（ＭＥＴ）。
【請求項１３】
測定対象の粘弾性媒体に対して超音波プローブ（１）によって印加された力を測定する更なるステップ（１０２）を含み、力の測定が、測定対象の粘弾性媒体に対して超音波プローブ（１）によって印加された力を測定するように構築および配置された力センサ（ＦＳ）によって決定され、および接触準備完了信号が、超音波プローブによって及ぼされた力が最小接触力閾値よりも大きいときに、信号発生器（９）によって設定され、測定準備完了信号が、超音波プローブ（１）によって印加された力が最小測定力閾値よりも大きいか、または最小および最大測定力閾値の間に含まれるときに、信号発生器（９）によって設定される、請求項１２に記載の方法（ＭＥＴ）。
【請求項１４】
方法が、前記接触準備完了信号が設定されたときだけ、超音波パルスを放射するステップ（１０６）を含むことを特徴とする、請求項１２または１３に記載の方法（ＭＥＴ）。
【請求項１５】
方法が、接触準備完了信号が発行された場合にだけ、位置特定手段を表示するステップ（１０７ａ）を含むことを特徴とする、請求項１２から１４のいずれか一項に記載の方法（ＭＥＴ）。
【請求項１６】
方法が、接触準備完了信号および測定準備完了信号が設定されたときだけ、粘弾性特性の測定をトリガするステップ（１１３、１１４）を含むことを特徴とする、請求項１２から１５のいずれか一項に記載の方法（ＭＥＴ）。
【請求項１７】
方法が、接触準備完了信号が設定されたとき他のモダリティを非アクティブ化するステップ（１１５）と、接触準備完了信号が設定されないとき他のモダリティをアクティブ化するステップとを更に含むことを特徴とする、請求項１２から１６のいずれか一項に記載の方法（ＭＥＴ）。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
挿入可能なカテーテルアセンブリと前記カテーテルアセンブリに接続された流体流発生器とを含む、鼻組織の機械的刺激のためのシステムであって、前記カテーテルアセンブリは、
体腔への挿入前に膨張して、鼻腔内への挿入を支持するために十分な剛性の構造をとり、かつ、かつ鼻組織を刺激するのに適した形状をとるように構成されている、少なくとも１つのカテーテル容積を画定する概ね長円形の膨張可能なカテーテルと、
前記流体流発生器と前記カテーテルとの間に流体流接続を確立するように構成された少なくとも１つの管腔を備える管部分と、を含むシステム。
【請求項２】
前記カテーテルアセンブリは、流体を放出するための少なくとも１つの制御可能な通気口を供え、前記少なくとも１つの制御可能な通気口は、手動または機械的に遮断することが可能である、請求項１に記載のシステム。
【請求項３】
前記少なくとも１つの通気口が前記管部分に配置される、請求項２に記載のシステム。
【請求項４】
前記少なくとも１つの通気口が前記カテーテル上に配置される、請求項２又は請求項３に記載のシステム。
【請求項５】
鼻への挿入を支持するためのクッション効果を提供するために、前記カテーテル上に分配された複数の通気孔を含む、請求項４に記載のシステム。
【請求項６】
前記複数の通気口が、前記カテーテルの遠位先端部分に配置される、請求項５に記載のシステム。
【請求項７】
前記カテーテルにかかる外力が前記カテーテルを収縮させることができるように構成された、少なくとも１つの通気口を備える、請求項２〜６のいずれか一項に記載のシステム。
【請求項８】
前記流体流発生器は、平滑な連続流、振動流および脈動流のうちの少なくとも１つを生成するように構成され、ポンプ、ダイヤフラムポンプ、逆止弁、三方弁、流れの脈動および／または振動を減衰させるための手段、圧力センサ、ならびにポンプおよびセンサを制御するための制御装置のうちの少なくとも１つを備える、請求項１〜７のいずれか一項に記載のシステム。
【請求項９】
前記流体流発生器は、滑らかな連続流を生成するように構成された第１のポンプと、脈動および／または振動する流体流を生成するように構成された第２のポンプとを備える、請求項８に記載のシステム。
【請求項１０】
前記流れの脈動および／または振動を減衰させる手段は、ポンプに接続されたヘルムホルツ共振器、または管状装置または空洞を備えるマフラである、請求項８に記載のシステム。
【請求項１１】
前記カテーテルが、流体流の振動および脈動を鼻組織に伝達する１つまたは複数のセグメントと、流体流の振動を減衰または排除する１つまたは複数のセグメントと、流体圧力または流体流の脈動の増加の結果としてカテーテルサイズを拡張する１つ以上の弾性セグメントと、カテーテルが所定の方向に曲がるのを防ぐ剛性要素と、残りのカテーテルよりも疎水性の材料で作られた遠位先端部と、鼻腔内の位置を安定させるように構成された折り目または突出部と、の少なくとも１つを含む、請求項１〜１０のいずれか一項に記載のシステム。
【請求項１２】
前記カテーテルアセンブリがカテーテルアセンブリを操作または安定化するために、管部分とカテーテルとの間に支持構造を含み、前記支持構造が前記挿入可能なカテーテルに平行に前記支持構造から突出し、鼻孔内に延びるように構成された２つのノブと、管部との接続部手段と、カテーテルの圧力または剛性を制御するための１つ以上の制御可能な通気口と、のうちの少なくとも１つを含む、請求項１〜１１のいずれか一項に記載のシステム。
【請求項１３】
前記流体流発生器および前記カテーテルに流体接続された第１の管腔を有する第１の管と、前記カテーテルおよび周囲空気に接続された第２の管腔を有する第２のより短い管とを有する管部分を備え、前記カテーテルは、前記第１の管腔から前記第２の管腔への流体流を受け入れるように構成される、請求項１〜１２のいずれか一項に記載のシステム。
【請求項１４】
前記支持構造が、耳に固定するように構成された支持管を含む、請求項１２に記載のシステム。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
心臓画像データ及びデバイスモデルを使用して、心臓弁デバイスの移植が冠動脈又は頸動脈の流量及び圧力に及ぼす影響をシミュレートする生物物理学的シミュレータを含むコンピュータ実行可能命令を有するコンピュータ可読記憶媒体と、
前記心臓画像データ及び前記デバイスモデルを用いて、前記心臓弁デバイスの移植が前記冠動脈又は前記頸動脈の前記流量及び前記圧力に及ぼす影響をシミュレートする前記生物物理学的シミュレータを実行するプロセッサと、
シミュレーションの結果を表示するディスプレイと、
を含む、コンピューティングシステム。
【請求項２】
前記生物物理学的シミュレータは、前記心臓画像データをセグメント化して、心臓の関心解剖学的構造の形状を決定し、前記セグメント化に基づいて境界条件を決定し、前記境界条件及び前記セグメント化を用いて移植前の状態メトリックをシミュレートする、請求項１に記載のコンピューティングシステム。
【請求項３】
前記生物物理学的シミュレータは更に、侵襲的手段による流量及び／又は圧力測定値に基づいて前記境界条件を決定する、請求項２に記載のコンピューティングシステム。
【請求項４】
前記生物物理学的シミュレータは、前記デバイスモデルをセグメント化された前記心臓画像データに仮想的に移植し、仮想インプラントを有する前記セグメント化に基づいて境界条件を決定し、前記境界条件及び前記仮想インプラントを有する前記セグメント化を用いて、移植後の状態メトリックをシミュレートする、請求項２又は３に記載のコンピューティングシステム。
【請求項５】
前記移植前の状態メトリック及び前記移植後の状態メトリックは、冠血流予備量比、瞬時血流予備量比及び冠流血予備能のうちの少なくとも１つを含む、請求項２から４の何れか一項に記載のコンピューティングシステム。
【請求項６】
前記プロセッサは、前記移植前の状態メトリック及び前記移植後の状態メトリックを視覚的に提示する、請求項５に記載のコンピューティングシステム。
【請求項７】
前記プロセッサが、前記移植前の状態メトリックと前記移植後の状態メトリックとの差を決定する、請求項５又は６に記載のコンピューティングシステム。
【請求項８】
前記プロセッサは、前記心臓弁デバイスの移植が前記流量及び前記圧力に及ぼす影響を予測する前記差を視覚的に提示する、請求項７に記載のコンピューティングシステム。
【請求項９】
前記デバイスモデルは、経カテーテル大動脈弁移植デバイスのモデルである、請求項１から８の何れか一項に記載のコンピューティングシステム。
【請求項１０】
コンピューティングシステムのプロセッサによって実行されると、前記プロセッサに、
心臓画像データを受信させ、
心臓弁デバイスインプラントのデバイスモデルを取得させ、
前記心臓画像データ及び前記デバイスモデルを用いて、前記心臓弁デバイスインプラントが冠動脈又は頸動脈の流量及び圧力に及ぼす影響をシミュレートさせ、
シミュレーションの結果を表示させる、
コンピュータ可読命令でコード化された、コンピュータ可読記憶媒体。
【請求項１１】
前記プロセッサは、前記心臓画像データをセグメント化して、心臓の関心解剖学的構造の形状を決定し、前記セグメント化に基づいて境界条件を決定し、前記境界条件及び前記セグメント化を用いて移植前の状態メトリックをシミュレートする、請求項１０に記載のコンピュータ可読記憶媒体。
【請求項１２】
前記プロセッサは、前記心臓画像データをセグメント化して、心臓の関心解剖学的構造の形状を決定し、侵襲的手段による流量及び／又は圧力測定値に基づいて境界条件を決定し、前記境界条件及び前記セグメント化を用いて移植前の状態メトリックをシミュレートする、請求項１０に記載のコンピュータ可読記憶媒体。
【請求項１３】
前記プロセッサは、前記デバイスモデルをセグメント化された前記心臓画像データに仮想的に移植し、仮想インプラントを有する前記セグメント化に基づいて境界条件を決定し、前記境界条件及び前記仮想インプラントを有する前記セグメント化を用いて、移植後の状態メトリックをシミュレートする、請求項１１又は１２に記載のコンピュータ可読記憶媒体。
【請求項１４】
前記プロセッサは、前記移植前の状態メトリックと前記移植後の状態メトリックとの差を決定する、請求項１３に記載のコンピュータ可読記憶媒体。
【請求項１５】
前記プロセッサが、前記移植前の状態メトリック及び前記移植後の状態メトリックか、前記移植前の状態メトリックと前記移植後の状態メトリックとの差か、又は、前記移植前の状態メトリック及び前記移植後の状態メトリック並びに前記移植前の状態メトリックと前記移植後の状態メトリックとの差を視覚的に提示する、請求項１４に記載のコンピュータ可読記憶媒体。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
患者の気道に呼吸ガスの流れを送る際に使用するための患者インターフェースデバイス用のバルブ装置であって、
前記患者インターフェースデバイスは、内部に空洞が画定されるフレーム部を含み、前記空洞は、前記患者の前記気道に移る前に呼吸ガスの前記流れを受入れ、
前記バルブ装置は、
結合部及び前記結合部から延在する遮断部を有するバルブ部材と、
結合部及び前記結合部から延在する保護部を有するガード部材と、
を含み、
前記バルブ部材の前記結合部は、前記フレーム部に結合され、前記遮断部は、前記空洞と外部環境との間に通路を提供する開口部の周りに密封係合し、前記遮断部は、第１の位置と第２の位置との間で移動し、
前記ガード部材の前記結合部は、前記フレーム部に結合され、
前記バルブ部材の前記遮断部が前記第１の位置から前記第２の位置に向かって移動すると、前記遮断部は、前記ガード部材の前記保護部に向かって移動する、バルブ装置。
【請求項２】
前記バルブ部材の前記結合部は、前記ガード部材の前記結合部に結合される、請求項１に記載のバルブ装置。
【請求項３】
前記ガード部材の前記結合部は、貫通孔を有する受け部を有し、前記バルブ部材の前記結合部は、第１の部分、前記第１の部分の反対側に配置された第２の部分及び前記第１の部分と前記第２の部分との間に延在する中間部分を有し、前記中間部分は、前記受け部の前記貫通孔を通り延在し、前記第１の部分及び前記第２の部分はそれぞれ、前記バルブ部材を前記ガード部材に直接的に結合するために、前記受け部と係合する、請求項２に記載のバルブ装置。
【請求項４】
前記ガード部材の前記結合部は更に、前記フレーム部を通り延在し、前記フレーム部に結合される本体部を有する、請求項１に記載のバルブ装置。
【請求項５】
前記本体部の中又は上に設けられた磁性材料を更に含む、請求項４に記載のバルブ装置。
【請求項６】
前記保護部は、幾つかの貫通孔を有する、請求項１に記載のバルブ装置。
【請求項７】
前記遮断部が前記第１の位置にあるときに、前記遮断部と前記保護部とが互いにほぼ平行である、請求項１に記載のバルブ装置。
【請求項８】
前記ガード部材は、硬い熱可塑性材料で作られ、前記バルブ部材は、シリコーンで作られる、請求項１に記載のバルブ装置。
【請求項９】
患者の気道に呼吸ガスの流れを送る際に使用するための患者インターフェースデバイスであって、
（ａ）前記患者の少なくとも口の周りに密封係合するシーリング部と、
（ｂ）前記シーリング部を支持し、内部に空洞が画定されるフレーム部と、
（ｃ）窒息防止装置と、
を含み、
前記空洞は、前記患者の前記気道に移る前に呼吸ガスの前記流れを受け入れ、
前記窒息防止装置は、
（１）前記フレーム部に画定される開口部と、
（２）結合部及び前記結合部から延在する遮断部を有するバルブ部材と、
（３）結合部及び前記結合部から延在する保護部を有するガード部材と、
を含み、
前記開口部は、周囲環境から前記空洞への周囲空気の通過を可能にするように配置及び構造化され、
前記バルブ部材の前記結合部は、前記フレーム部に結合され、前記遮断部は、
（ｉ）前記遮断部が前記開口部の周りを密封して、前記周囲空気が前記開口部を通過しないようにする第１の位置と、
（ｉｉ）前記遮断部の少なくとも一部が前記開口部から離間されることにより、周囲空気が前記空洞を通過して前記開口部へと入ることを可能にする第２の位置との間を移動し、
前記ガード部材の前記結合部は、前記フレーム部に結合され、前記ガード部材の前記保護部は、前記シーリング部が前記患者の少なくとも口の周りに密封係合されるときに、前記バルブ部材の前記遮断部と前記患者の前記口との間に配置されるように配置及び構造化され、前記バルブ部材の前記遮断部が、前記第１の位置から前記第２の位置に向かって移動すると、前記遮断部は、前記ガード部材の前記保護部に向かって移動する、患者インターフェースデバイス。
【請求項１０】
前記ガード部材の前記結合部は、スナップ式に前記フレーム部に結合される、請求項９に記載の患者インターフェースデバイス。
【請求項１１】
前記バルブ部材の前記結合部は、前記ガード部材の前記結合部に結合される、請求項９に記載の患者インターフェースデバイス。
【請求項１２】
前記保護部は、幾つかの貫通孔を有する、請求項９に記載の患者インターフェースデバイス。
【請求項１３】
ヘッドギアと、少なくとも１つのクリップ部材とを更に含み、前記少なくとも１つのクリップ部材は、前記ヘッドギア及び前記ガード部材の前記結合部に結合される、請求項９に記載の患者インターフェースデバイス。
【請求項１４】
前記少なくとも１つのクリップ部材の中又は上に設けられる少なくとも１つの磁性材料を更に含み、前記少なくとも１つの窒息防止装置は更に、前記ガード部材の前記結合部の中又は上に設けられる磁性材料を含み、前記少なくとも１つのクリップ部材の中又は上に設けられる前記少なくとも１つの磁性材料は、前記少なくとも１つのクリップ部材を前記ガード部材の前記結合部に結合するために、前記ガード部材の前記結合部の中又は上に設けられる前記磁性材料と引き合うように相互作用する、請求項１３に記載の患者インターフェースデバイス。
【請求項１５】
前記ガード部材の前記結合部は、前記フレーム部を通り延在し、前記フレーム部に結合される本体部を更に有する、請求項９に記載の患者インターフェースデバイス。